(57)【要約】【課題】  入力される先頭の外線識別番号と後続の電話番号の送出タイミングを回線制御装置の動作に合わせて制御し、該電話番号を桁落ちなく取りませて意図した相手先への外線発呼が行えるようにする。【解決手段】  システム制御部１３において、ダイヤル検出部１３２は、ダイヤル入力受付部１３１が受付けた入力ダイヤルが、外線識別番号“０”に続いて番号“０”から始まる相手先電話番号が入力される頭連続“０”ダイヤルか否かを検出する。頭連続“０”ダイヤルが検出された場合、ダイヤル送出タイミング制御部１３２は、フックスイッチをオフフック後、時間Ｔ１の経過後に最初の“０”を送出し、ＰＢＸから送られてくるＤＴの検出処理に移行する。最初の“０”を送出してから時間Ｔ２内にＤＴが検出された場合、次の“０”以降の電話番号をＰＢＸへ送出する。【選択図】  図３
2010141797.tif 000002
【特許請求の範囲】
【請求項１】
発呼側端末からの外線識別番号の入力を受けて公衆回線網内の回線を捕捉し、前記発呼側端末から前記外線識別番号に続いて入力される電話番号に基づき前記発呼側端末を着呼側端末に回線接続する回線接続装置に接続され、
発呼に際して先頭の前記外線識別番号と後続の電話番号から成る外線発信ダイヤルを含むダイヤルの入力を受付けるダイヤル入力受付手段と、
前記ダイヤル入力受付手段が受付けた入力ダイヤル中、先頭の番号と次の番号が前記外線識別番号である頭連続外線識別番号ダイヤルを検出する検出手段と、
前記検出手段により前記頭連続外線識別番号ダイヤルが検出された場合、フックスイッチのオフフック後に該頭連続外線識別番号ダイヤルの前記先頭の番号を送出して前記回線制御装置からの発信音を検出する発信音検出手段と、
前記発信音検出手段により前記発信音が検出されることにより前記頭連続外線識別番号ダイヤルの前記次の番号以降の番号を前記回線接続装置に送出する番号送出制御手段と
を具備するファクシミリ装置。
【請求項２】
任意の短縮ダイヤル番号に対する任意の番号の短縮ダイヤル登録要求を受付ける短縮ダイヤル登録受付手段と、
前記短縮ダイヤル登録受付手段により先頭の番号と次の番号が前記外線識別番号である一連の番号の短縮ダイヤル登録要求が受付けられた場合、先頭の番号と次の番号の間に発信音の検知を指示する制御情報を挿入し、該制御情報が挿入された一連の番号を前記短縮ダイヤル番号に対応して登録する短縮ダイヤル登録手段と
を具備する請求項１記載のファクシミリ装置。
【請求項３】
前記ダイヤル入力受付手段が受付けた入力ダイヤル中、先頭の番号が前記外線識別番号で、該外線識別番号に続いて前記制御情報が挿入される制御情報付加ダイヤルを検出する制御情報付加ダイヤル検出手段
を具備し、
前記発信音検出手段は、
前記制御情報付加ダイヤル検出手段により前記制御情報付加ダイヤルが検出された場合、前記オフフック後に該制御情報付加ダイヤルの前記先頭の番号を送出して前記回線制御装置からの発信音の検出を行ない、
前記番号送出制御手段は、
前記発信音検出手段により前記発信音が検出されることにより前記制御情報付加ダイヤルの前記先頭の番号の前記制御情報を挟んだ前記次の番号以降の番号を前記回線接続装置に送出する
請求項２記載のファクシミリ装置。
【請求項４】
前記オフフック後、前記先頭の番号を送出するまでの時間を日、曜日及び時間帯の少なくとも１つの情報に対応して管理する管理手段
を具備し、
前記番号送出制御手段は、
前記オフフック後、該オフフックがなされた日、曜日及び時刻のうちの予め設定された少なくとも１つの情報に対応して前記管理手段により管理される時間の経過後に前記先頭の番号を送出する
請求項１乃至３のいずれか記載のファクシミリ装置。
【請求項５】
前記発信音検出手段により前記発信音が検出できなかった場合、発呼エラーとなった旨を報知する報知手段
を具備する請求項１乃至４のいずれか記載のファクシミリ装置。
【請求項６】
前記発信音検出手段により前記発信音が検出できなかった場合、前記番号送出制御手段により前記オフフック後に前記先頭の番号を送出するまでの時間を所定の時間長長く変更設定する変更設定手段
を具備する請求項１乃至５のいずれか記載のファクシミリ装置。
【発明の詳細な説明】
【技術分野】
【０００１】
本発明は、ファクシミリ装置に関する。
【背景技術】
【０００２】
ファクシミリ装置を、例えば、構内交換機（ＰＢＸ）を介して公衆回線網に接続し、発呼側ファクシミリ装置からＰＢＸを介して公衆回線網内の回線（外線）に発呼するファクシミリ通信システムが知られている。
【０００３】
かかるシステムに用いるファクシミリ装置の外線発信操作においては、最初に外線識別番号を入力し、次いで、相手ファクシミリ装置の電話番号を入力する。
【０００４】
これに対し、ＰＢＸでは、発呼側ファクシミリ装置から外線識別番号の入力を受付けると、回線（外線）を捕捉して発信音（ダイヤルトーン）を送出し、その後に入力される相手先電話番号に基づき相手ファクシミリ装置に発呼し、相手ファクシミリ装置が着呼応答すると発呼側及び着呼側ファクシミリ装置を該回線により接続する。
【０００５】
かかる外線発呼に際し、ＰＢＸでは、例えば、複数の発呼端末からの呼が重なった場合等により負荷が高い場合、処理が追いつかず、オフフックからダイヤルトーン送出までの時間がかかり、ＰＢＸが発呼端末から入力される相手端末電話番号（通常、ファクシミリ装置では、ＰＢＸに接続した場合、オフフック後に一定時間経過後に番号送出する設定となっている（但し、発信音は検知しない）。）のはじめの何桁かが検知できずに桁落ちなることがあり、場合によっては意図しない相手先に接続されることもあり得る。
【０００６】
ファクシミリ装置等の外線発呼制御に関して、下記特許文献１には、メモリに入力された相手先番号が、外線接続先か内線接続先かを区別する外線内線レジスタと、相手先番号の前に付加する外線識別番号（「０」発信）発生機能、ダイヤルトーンが外線か内線かを検出する手段を設け、ダイヤルトーンの検出結果に基づいて「外線識別番号」を有効／無効にする、あるいは発呼禁止とする自動発呼装置が開示されている。
【特許文献１】特開昭６３−１１４３４７号公報
【発明の開示】
【発明が解決しようとする課題】
【０００７】
本発明は、入力される先頭の外線識別番号と後続の電話番号の送出タイミングを回線制御装置の動作に合わせて制御し、該電話番号を桁落ちなく取りませて意図した相手先への外線発呼が行えるファクシミリ装置を提供することを目的とする。
【課題を解決するための手段】
【０００８】
上記目的を達成するために、請求項１記載のファクシミリ装置の発明は、発呼側端末からの外線識別番号の入力を受けて公衆回線網内の回線を捕捉し、前記発呼側端末から前記外線識別番号に続いて入力される電話番号に基づき前記発呼側端末を着呼側端末に回線接続する回線接続装置に接続され、発呼に際して先頭の前記外線識別番号と後続の電話番号から成る外線発信ダイヤルを含むダイヤルの入力を受付けるダイヤル入力受付手段と、前記ダイヤル入力受付手段が受付けた入力ダイヤル中、先頭の番号と次の番号が前記外線識別番号である頭連続外線識別番号ダイヤルを検出する検出手段と、前記検出手段により前記頭連続外線識別番号ダイヤルが検出された場合、フックスイッチのオフフック後に該頭連続外線識別番号ダイヤルの前記先頭の番号を送出して前記回線制御装置からの発信音を検出する発信音検出手段と、前記発信音検出手段により前記発信音が検出されることにより前記頭連続外線識別番号ダイヤルの前記次の番号以降の番号を前記回線接続装置に送出する番号送出制御手段とを具備する。
【０００９】
請求項２記載の発明は、上記請求項１記載の発明において、任意の短縮ダイヤル番号に対する任意の番号の短縮ダイヤル登録要求を受付ける短縮ダイヤル登録受付手段と、前記短縮ダイヤル登録受付手段により先頭の番号と次の番号が前記外線識別番号である一連の番号の短縮ダイヤル登録要求が受付けられた場合、先頭の番号と次の番号の間に発信音の検知を指示する制御情報を挿入し、該制御情報が挿入された一連の番号を前記短縮ダイヤル番号に対応して登録する短縮ダイヤル登録手段とを具備する。
【００１０】
請求項３記載の発明は、上記請求項２記載の発明において、前記ダイヤル入力受付手段が受付けた入力ダイヤル中、先頭の番号が前記外線識別番号で、該外線識別番号に続いて前記制御情報が挿入される制御情報付加ダイヤルを検出する制御情報付加ダイヤル検出手段を具備し、前記発信音検出手段は、前記制御情報付加ダイヤル検出手段により前記制御情報付加ダイヤルが検出された場合、前記オフフック後に該制御情報付加ダイヤルの前記先頭の番号を送出して前記回線制御装置からの発信音の検出を行ない、前記番号送出制御手段は、前記発信音検出手段により前記発信音が検出されることにより前記制御情報付加ダイヤルの前記先頭の番号の前記制御情報を挟んだ前記次の番号以降の番号を前記回線接続装置に送出する。
【００１１】
請求項４記載の発明は、上記請求項１乃至３のいずれか記載の発明において、前記オフフック後、前記先頭の番号を送出するまでの時間を日、曜日及び時間帯の少なくとも１つの情報に対応して管理する管理手段を具備し、前記番号送出制御手段は、前記オフフック後、該オフフックがなされた日、曜日及び時刻のうちの予め設定された少なくとも１つの情報に対応して前記管理手段により管理される時間の経過後に前記先頭の番号を送出する。
【００１２】
請求項５記載の発明は、上記請求項１乃至４のいずれか記載の発明において、前記発信音検出手段により前記発信音が検出できなかった場合、発呼エラーとなった旨を報知する報知手段を具備する。
【００１３】
請求項６記載の発明は、上記請求項１乃至４５いずれか記載の発明において、前記発信音検出手段により前記発信音が検出できなかった場合、前記番号送出制御手段により前記オフフック後に前記先頭の番号を送出するまでの時間を所定の時間長長く変更設定する変更設定手段を具備する。
【発明の効果】
【００１４】
請求項１記載のファクシミリ装置の発明によれば、先頭の外線識別番号と後続の電話番号を回線制御装置の動作に合わせて送出し、回線制御装置に電話番号を桁落ちなく取りませてユーザが意図した相手端末へ確実に外線発呼が行える。
【００１５】
請求項２記載の発明によれば、先頭の外線識別番号と後続の電話番号との間に発信音の検知を指示する制御情報を挿入して短縮ダイヤルとして登録し、該登録された短縮ダイヤルを用いて外線発信が行える。
【００１６】
請求項３記載の発明によれば、請求項２記載の発明において、先頭の外線識別番号と後続の電話番号との間に発信音の検知を指示する制御情報を挿入した短縮ダイヤル入力を受けた際、先頭の外線識別番号と後続の電話番号の回線制御装置に対する送信タイミングを適正に制御し、回線制御装置に電話番号を桁落ちなく取りませて意図した相手端末へ外線発呼が行える。
【００１７】
請求項４記載の発明によれば、請求項１乃至３のいずれか記載の発明において、日や、曜日毎に、呼が重なって発信音送出が遅れる時間帯ではオフフックから番号送出までの時間を長くして頭桁落ち防止に注力し、その他の時間帯は通常時間とし接続までの時間を無闇に延ばさないようにするなどの柔軟な運用が可能となる。
【００１８】
請求項５記載の発明によれば、請求項１乃至４のいずれか記載の発明において、ダイヤルトーンが検出できない場合、ユーザに対する発信エラー報知を行うことでユーザに対して再送信を促すことができる。
【００１９】
請求項６記載の発明によれば、請求項１乃至５のいずれか記載の発明において、ダイヤルトーンが検出できない場合、次回の発呼では、オフフック後に頭連続外線識別番号ダイヤルの先頭の番号を送出するまでの時間を前回発呼時より長い時間に設定変更し、ダイヤルトーン送出までの時間を稼いで頭桁落ちを防止できる。
【発明を実施するための最良の形態】
【００２０】
以下、本発明の実施形態について添付図面を参照して詳細に説明する。
【００２１】
図１は、本発明に係わるファクシミリ通信ネットワークの全体構成を示す概念図である。
【００２２】
このファクシミリ通信ネットワークにおいて、ファクシミリ装置１０−１，１０−２，…，１０−５は、ＰＢＸ（構内交換機）３０を介して互いに内線網Ｎ１により接続されると共に、該ＰＢＸ３０を介して公衆回線網５０と接続される。
【００２３】
図２は、本発明に係るファクシミリ装置１０の機能構成を示すブロック図である。
【００２４】
すなわち、図１に示すネットワーク中にファクシミリ装置１０−１，１０−２，…，１０−５として配置される本発明に係わるファクシミリ装置１０は、図２に示す如く、装置全体の制御処理を行なう中央処理装置（ＣＰＵ）１１、制御プログラムが使用するワークエリア（装置の動作を制御するシステムデータや各種情報を記憶する）となるＲＡＭ１２、ファクシミリ全体を制御するプログラム（ＲＯＭ）を有するシステム制御部１３、タッチパネル等で構成され、使用者がこの装置を動作させるための各種操作（発呼操作等）を行なったり、各種情報を表示するための操作／表示部１４、送信原稿やコピー原稿を読み取る読取部１５、受信した画像データや読取った画像データを記録紙に記録して出力する記録部１６、受信した画像データあるいは読み取った画像データを格納する画像蓄積部１７、画像データに対する符号化、復号化、拡大、縮小等の処理を行う画像処理部１８、例えば、Ｇ３ＦＡＸ伝送制御機能部及びＧ４ＦＡＸ伝送制御機能部を備え、Ｇ３及びＧ４のファクシミリ伝送制御を行う伝送制御部１９、上記Ｇ３ＦＡＸ伝送制御機能部の伝送制御の下でアナログ公衆回線網（ＰＳＴＮ）にて呼の確立、網接続の制御を行なうＰＳＴＮ呼／網制御機能部及び上記Ｇ４ＦＡＸ伝送制御機能部の伝送制御の下でデジタル公衆回線網（ＩＳＤＮ）にて呼の確立、網接続の制御を行なうＩＳＤＮ呼／網制御機能部を備える網制御部２０、上述した各機能部の間で相互にデータのやり取りするシステムバス２１を備えて構成される。
【００２５】
かかる構成を有する本発明のファクシミリ装置１０では、図１に示すネットワーク中のファクシミリ装置１０−１，…，１０−５として配置される場合に、ＰＢＸ３０を介して内線網Ｎ１内の他のファクシミリ装置１０との間で内線通信を行なえる他、公衆回線網５０内の回線（外線）を介してファクシミリ装置１０−６等と通信することができる。
【００２６】
公衆回線網５０を介して通信する際の発呼側のファクシミリ装置１０の公衆回線網５０内の回線（外線）への接続制御は、発呼側のファクシミリ装置１０からの外線識別番号を含むダイヤル入力に基づきＰＢＸ３０によってなされる。
【００２７】
すなわち、ＰＢＸ３０は、発呼側のファクシミリ装置１０（発呼側端末装置）から外線識別番号の入力を受付けると、回線（外線）を捕捉して該発呼側端末装置にダイヤルトーン（ＤＴ）を送り、更に、発呼側端末装置から上記外線識別番号に続いて入力される電話番号に基づき公衆回線網５０内の相手先のファクシミリ装置（着呼側端末装置）を呼出し、該呼出しに対して着呼側端末装置が応答すると発呼側端末装置着呼側端末装置とを当該回線により接続する制御機能を有する。
【００２８】
これにより、図１に示すネットワークにおいて、ファクシミリ装置１０−１，…，１０−５として配置される本発明に係わるファクシミリ装置１０（発呼側端末装置）から公衆回線網５０内の、例えば、ファクシミリ装置１０−６（着呼側端末装置）に発呼する場合、発呼側端末装置において、ユーザは、ＰＢＸ３０の仕様に従った外線識別番号を入力した後、着呼側端末装置の電話番号（ファクシミリ装置１０−６の電話番号）を入力する発信操作（外線発信操作：全桁手入力）を行う必要がある。
【００２９】
また、短縮ダイヤル登録部１３７の制御により相手端末装置の電話番号の前に外線識別番号を付加した番号を短縮番号と対応付けて登録しておき、所望の短縮ダイヤルキーを押下することにより、該短縮ダイヤルキーに対応する短縮番号に登録された電話番号をＰＢＸ３０に送るように動作させる短縮ダイヤル発信操作によっても、上述した如く着呼側端末装置に対するＰＢＸ３０を介した回線（外線）接続が実行できる。
【００３０】
本発明は、上述した外線発信操作、あるいは短縮ダイヤル発信操作により外線へ発呼を行う場合に、発呼側端末装置から送出される外線識別番号とこれに続く電話番号のＰＢＸ３０への送出タイミングを該ＰＢＸ３０の動作に合わせて制御する（電話番号をＰＢＸ３０側で桁落ちなく取り込めるようにする）ものであり、以下、これを実現する構成について各実施例を挙げて詳しく説明する。
【００３１】
なお、以下の説明では、ＰＢＸ３０の仕様に従った外線識別番号が“０”であることを前提としているが、外線識別番号は“０”にかぎるものではない。
【実施例１】
【００３２】
実施例１に係わるファクシミリ装置１０では、上述した外線発信操作、あるいは短縮ダイヤル発信操作に際し、先頭の外線識別番号“０”に続いて、番号“０”から始まる相手端末装置のダイヤル番号が入力された場合に、頭連続外線識別番号ダイヤル〔以下、頭連続“０”ダイヤル〕であることを認識し、フックスイッチをオフフックして最初（先頭）の“０”をＰＢＸ３０に対して送出した後、該ＰＢＸ３０からのＤＴを検出する制御を実施し、ここでＤＴを検出すると、最初の“０”の次の“０”以降の番号をＰＢＸ３０に対して送出する制御機能を有する。
【００３３】
この制御機能は、例えば、ファクシミリ全体の制御を行うシステム制御部１３に設けることができる。
【００３４】
図３は、実施例１に係わるファクシミリ装置１０のシステム制御部１３の機能構成を示すブロック図である。
【００３５】
図３に示すように、本実施例のファクシミリ装置１０のシステム制御部１３は、ダイヤル入力受付部１３１、ダイヤル検出部１３２、発信音検出部１３３、ダイヤル送出制御部１３４、計時部１３５、発信エラー報知部１３６及び短縮ダイヤル登録部１３７を具備して構成される。
【００３６】
ダイヤル入力受付部１３１は、発呼に際しての上述した外線発信操作、あるいは短縮ダイヤル発信操作に基づく外線発信ダイヤル（外線識別番号とこれに続く電話番号から成る）を含むダイヤルの入力を受付ける。
【００３７】
ダイヤル検出部１３２は、ダイヤル入力受付部１３１が入力を受付けたダイヤル中、先頭から２桁の番号がいずれも外線識別番号“０”である頭連続“０”ダイヤルを検出する処理を行う。
【００３８】
発信音検出部１３３は、ダイヤル検出部１３２により頭連続“０”ダイヤルが検出された場合、フックスイッチ（図示せず）をオフフックした後に該頭連続“０”ダイヤルの最初の“０”を送出してＰＢＸ（回線制御装置）３０から送出されるＤＴを検出する制御を行う。
【００３９】
ダイヤル送出制御部１３４は、発信音検出部１３３によりＤＴが検出されることにより頭連続“０”ダイヤルの次（先頭の“０”の次）の“０”以降の番号をＰＢＸ３０に送出する制御、及び後述するタイマＡの設定時間Ｔ１の変更設定制御を行う。
【００４０】
計時部１３５は、フックスイッチのオフフック後、頭連続“０”ダイヤルの先頭の“０”を送出するまでの時間Ｔ１が設定された第１の計時手段（タイマＡ）と、最初の“０”を送出した後にＤＴの検出制御を行う制限期間に対応する時間Ｔ２が設定された第２の計時手段（タイマＢ）とを有し、これらタイマＡ及びタイマＢに対する時間Ｔ１、Ｔ２の設定と該設定時間Ｔ１、Ｔ２の計時制御を行う。
【００４１】
発信エラー報知部１３６は、発信音検出部１３３によりＰＢＸ３０からのＤＴが検出できなかった場合、発信（発呼）がエラーとなった旨を報知する。
【００４２】
短縮ダイヤル登録部１３７は、短縮ダイヤル番号の指定と、電話番号（外線識別番号“０”が先頭に付加されるものを含む）の入力に基づく短縮ダイヤル登録要求操作を受付け、該入力された電話番号を指定された短縮ダイヤル番号に対応して登録する。
【００４３】
上記構成を有する本実施例のファクシミリ装置１０において、例えば、相手端末へのファクシミリ送信に際して外線への発呼を行う場合、ユーザは、操作／表示部１４上で外線識別番号である“０”を入力した後、続けて、例えば、“０３１２３４５６７８”等、相手端末の電話番号（相手先電話番号）を入力する外線発信ダイヤル操作か、あるいは、操作／表示部１４上で、“０１”，“０２”，…等の短縮ダイヤルキーを押下する短縮ダイヤル発信操作を行う。
【００４４】
上記外線発信ダイヤル操作が行われると、操作／表示部１４からシステム制御部１３のダイヤル入力受付部１３１に対しては、“０”と、これに続く相手先電話番号（例えば、“０３１２３４５６７８”）から成るダイヤル（外線発信ダイヤル）が入力され、他方、上記短縮ダイヤル発信操作が行われた場合は、短縮ダイヤル登録部１３７からダイヤル入力受付部１３１に対して、押下した短縮ダイヤルキー（例えば、「０１」）に対応する短縮番号（同、“０１”）に対応して登録されている番号〔同、“００３１２３４８７６５” 〕から成るダイヤル（短縮登録外線発信ダイヤル）が入力される。
【００４５】
そして、ダイヤル検出部１３２、発信音検出部１３３、ダイヤル送出制御部１３４は、ＰＢＸ３０と協働し、該入力ダイヤル（外線発信ダイヤル、あるいは短縮登録外線発信ダイヤル）に基づいて以下の示す発呼制御動作を実施する。
【００４６】
図４は、本実施例に係わるファクシミリ装置１０の発呼制御動作を示すフローチャートである。
【００４７】
図４に示すように、待機中のファクシミリ装置１０において、ダイヤル検出部１３２は、上述した外線発信ダイヤル操作や、短縮ダイヤル発信操作等のダイヤル操作に基づくダイヤル入力受付部１３１での電話番号の受付状況（入力状況）を監視している（ステップＳ１０１）。
【００４８】
ここで、上記ダイヤル操作に基づくダイヤル（電話番号）が入力されると（ステップＳ１０１ＹＥＳ）、ダイヤル検出部１３２は、該入力されたダイヤル中、先頭の２桁の番号が連続して“０”〔＝外線識別番号〕である頭連続“０”ダイヤルであるか否かをチェックする（ステップＳ１０２）。
【００４９】
ここで、頭連続“０”ダイヤルでないと判定された場合（ステップＳ１０２ＮＯ）、ダイヤル送出制御部１３４は、フックスイッチをオフフックにしたうえで上記ステップＳ１０１で受付けた電話番号（全桁分）を網制御部２０を介してＰＢＸ３０に送出する（ステップＳ１２２）。
【００５０】
ＰＢＸ３０は、ファクシミリ装置１０（システム制御部１３）から送られてくる上記電話番号に基づき相手端末に対する回線（内線）接続制御を行う。
【００５１】
そして、ファクシミリ装置１０では、ＰＢＸ３０による相手端末に対する回線（内線）接続完了後、該相手端末との間のファクシミリ通信に移行し（ステップＳ１２３）、該ファクシミリ通信の終了により動作を終了する。
【００５２】
これに対し、上記ステップＳ１０２において頭連続“０”ダイヤルであると判定された場合（ステップＳ１０２ＹＥＳ）、ダイヤル送出制御部１３４は、フックスイッチをオフフックにし（ステップＳ１０３）、該オフフック後、計時部１３５でタイマＡの計時を開始させて設定時間Ｔ１が経過（計時完了）したか否かをチェックする（ステップＳ１０４）。
【００５３】
ここで、時間Ｔ１が経過したと判定されると（ステップＳ１０４ＹＥＳ）、上記ステップＳ１０１で受付けた入力ダイヤル〔頭連続“０”ダイヤル〕中の最初の“０”を網制御部２０を介してＰＢＸ３０に送信する（ステップＳ１０５）。
【００５４】
次いで、発信音検出部１３３は、最初の“０”を送出した後、ＰＢＸ３０から送出されるＤＴを検出する処理モードに移行する（ステップＳ１０６）。
【００５５】
該処理モードに移行すると、発信音検出部１３３は、計時部１３５でタイマＢの計時を開始させたうえでＤＴが検出されたか否かをチェックし（ステップＳ１０７）、ＤＴが検出されない場合（ステップＳ１０７ＮＯ）、次いで、タイマＢにより所定時間Ｔ２が計時完了したか否かをチェックする（ステップＳ１０９）。
【００５６】
ここで、タイマＢにより所定時間Ｔ２が計時完了しない場合（ステップＳ１０９ＮＯ）、ステップＳ１０７に戻ってＤＴが検出されたか否かをチェックし（ステップＳ１０７）、なおもＤＴが検出されない場合（ステップＳ１０７ＮＯ）は、ステップＳ１０９においてタイマＢにより所定時間Ｔ２が計時完了したと判定される（ステップＳ１０９ＹＥＳ）までステップＳ１０７におけるＤＴ検出処理を続行する。
【００５７】
この間、タイマＢにより所定時間Ｔ２が計時完了する前に（ステップＳ１０９ＮＯ）にＰＢＸ３０からのＤＴが検出された場合（ステップＳ１０７ＹＥＳ）、ダイヤル送出制御部１３４は、上記ステップＳ１０１で受付けた入力ダイヤル〔頭連続“０”ダイヤル〕中の次〔最初の“０”の次〕の“０”以降の番号を網制御部２０を介してＰＢＸ３０に送信する（ステップＳ１０８）。
【００５８】
ＰＢＸ３０では、ファクシミリ装置１０（システム制御部１３）から送られてくる上記電話番号に基づき相手端末に対する回線（外線）接続制御を行う。
【００５９】
そして、ファクシミリ装置１０では、ＰＢＸ３０による相手端末に対する回線（外線）接続完了後、該相手端末との間のファクシミリ通信に移行し（ステップＳ１３１）、該ファクシミリ通信の終了により動作を終了する。
【００６０】
なお、上記ステップＳ１０７においてＤＴが検出されない間（ステップＳ１０７ＮＯ）に上記ステップＳ１０９でタイマＢにより所定時間Ｔ２が計時完了した場合（ステップＳ１０９ＹＥＳ）、システム制御部１３では、発呼を停止し（ステップＳ１１０）、発信エラー報知部１３６が発信エラーが発生した旨をユーザに報知する制御を実施する（ステップＳ１１１）。
【００６１】
また、上記ステップＳ１０７においてＤＴが検出されない間（ステップＳ１０７ＮＯ）に上記ステップＳ１０９でタイマＢにより所定時間Ｔ２が計時完了した場合（ステップＳ１０９ＹＥＳ）、ダイヤル送出制御部１３４では、タイマＡに設定していた計時時間Ｔ１をこれより長い時間である時間Ｔ１１（Ｔ１１＞Ｔ１）に変更設定し（ステップＳ１１２）、その後、処理を終了する。
【００６２】
ステップＳ１１２での時間Ｔ１の変更設定により、次回の頭連続“０”ダイヤルに基づく最初の“０”の送出に際し、ステップＳ１０４，Ｓ１０５では変更設定後の時間Ｔ１１経過後に最初の“０”がＰＢＸ３０へと送出される。
【００６３】
図５は、本実施例に係わるファクシミリ装置１０での発呼制御動作の遷移を示す概念図であり、図中のステップ符号は図４に示すフローチャート中のステップ符号に対応している。
【００６４】
なお、図５では、特に、ファクシミリ装置１０において、外線識別番号“０”の後に“０３１２３４５６７８”という相手先電話番号が続く外線発信ダイヤルが入力された場合の発呼制御動作の遷移状態を示している。
【００６５】
図５において、時間ｔ０で上記外線発信ダイヤル入力がなされると（ステップＳ１０２）、頭連続“０”ダイヤルの検出（ステップＳ１０２）後、オフフックして（ステップＳ１０３）から時間Ｔ１経過後に最初の“０”が送出され（ステップＳ１０５）、その後、時間Ｔ２の経過が検出される前にＰＢＸ３０からのＤＴが検出される（ステップＳ１７ＹＥＳ）ことにより、次の“０”が送出され（ステップＳ１０８）、ステップＳ１３１で外線接続が完了する。
【００６６】
なお、図５において、オフフックして時間Ｔ１経過後に最初の“０”が送出された後、時間Ｔ２の経過が検出されてもＰＢＸ３０からのＤＴが検出されなかった場合（ステップＳ１０９ＹＥＳ）には、ユーザに対する発信エラー報知（ステップＳ１１１）が行われる。
【００６７】
この発信エラー報知の一例としては、操作／表示部１４の表示パネル上に、例えば、図６に示す如くの発信エラー報知画面１４１を用いて、“接続に失敗しました。番号をお確かめのうえ、しばらくしてからおかけなおしく下さい。”等の発信エラー報知メッセージを表示する方法が考えられる。
【００６８】
なお、本実施例は、ＰＢＸ３０として上述したＤＴの他、セカンド・ダイヤルトーン（ＳＤＴ）を送出する機能を有するＰＢＸ（便宜的に、３０ａと呼称）が配置されるシステム構成にも適用できる。
【００６９】
この場合、ファクシミリ装置１０では、頭連続“０”ダイヤルを検出し、フックスイッチをオフフックして最初の“０”をＰＢＸ３０ａに対して送出した後、該ＰＢＸ３０ａからのＳＤＴを発信音検出部１３３により検出する制御を実施し、ここで発信音検出部１３３がＳＤＴを検出すると、次の“０”以降の番号をＰＢＸ３０ａに対して送出する制御動作を行うようにすれば良い。
【００７０】
また、本実施例によれば、オフフック後に最初の“０”を送出するまでの送出待機時間（上記の例における時間Ｔ１）については、例えば、システム制御部１３内に送出待機時間管理部を設け、該送出待機時間管理部が時間管理テーブルを用いて、日、または曜日若しくは時間帯の少なくとも１つの情報に対応してそれぞれ異なる送出待機時間を登録、管理するようにしても良い。
【００７１】
この場合、ダイヤル送出制御部１３４では、頭連続“０”ダイヤルが検出されることにより、オフフックした際、該オフフックのなされた日、曜日及び時刻を読み取り、上記オフフック後、該読取った日、または曜日若しくは時刻に対応する時間帯情報のうちの予め設定された少なくとも１つの情報に対応して前記管理手段により管理される送出待機時間経過後に前記先頭の“０”を送出する制御と、該送出した先頭の“０”に対してＰＢＸ３０からのＤＴ（あるいは、ＳＤＴ）を検出できなかった場合、上記送出待機時間として前回の時間より長い時間長の値に設定変更する制御の機能を付加すれば良い。
【００７２】
上述したように、本実施例では、入力ダイヤルが頭連続“０”ダイヤルであることが検出されると（外線識別番号が０”の場合）、最初の“０”を送出すると共に、該最初の“０”の送出後にも網（ＰＢＸ３０）からのＤＴ（あるいは、ＳＴＤ）を検知するようにしたため、ＰＢＸ側３０でファクシミリ装置１０からの最初の“０”の後の“０”から始まる相手先番号を桁落ちなく取り込むことで、意図しない相手に電話がかかることがない。
【００７３】
また、ＤＴ（あるいは、ＳＴＤ）が検出できない場合、ユーザに対する発信エラー報知を行うことでユーザに対して再送信を促すことができる。
【００７４】
また、ＤＴ（あるいは、ＳＴＤ）が検出できない場合、次回からは、オフフック後に最初の“０”を送出するまでの時間をそれまでの時間より長い時間に設定変更するため、ＤＴ（あるいは、ＳＴＤ）送出までの時間を稼いで頭桁落ちを防ぐことができる。
【００７５】
また、オフフック後に最初の“０”を送出するまでの時間を日、または曜日若しくは時間帯に応じて自動的に変化させることで、呼が重なってＤＴ（あるいはＳＤＴ）送出が遅れる時間帯はオフフックから番号送出までの時間を長くすることにより頭桁落ち防止を図り、その他の時間帯は通常時間とし接続までの時間を無闇に延ばさないようにするなどの柔軟な運用が可能となる。
【実施例２】
【００７６】
図７は、実施例２に係わるファクシミリ装置（便宜的に、１０Ｂと呼称）のシステム制御部（同、１３ｂ）の機能構成を示すブロック図である。
【００７７】
図７において、図３に示す各機能ブロックと同様の機能を果たすものには同一の符号を付している。
【００７８】
図７に示すように、本実施例のファクシミリ装置１０Ｂのシステム制御部１３ｂは、ダイヤル入力受付部１３１、ダイヤル検出部１３２ｂ、発信音検出部１３３ｂ、ダイヤル送出制御部１３４ｂ、計時部１３５、発信エラー報知部１３６及び短縮ダイヤル登録部１３７ｂを具備して構成される。
【００７９】
短縮ダイヤル登録部１３７ｂは、短縮ダイヤル番号の指定と、電話番号の入力に基づく短縮ダイヤル登録要求操作を受付ける短縮ダイヤル登録受付機能と、該短縮ダイヤル登録受付機能による電話番号の受付けに際し、先頭の外線識別番号“０”に続いて“０”から始まる電話番号が入力された場合、最初の“０”と続く“０”の間にＤＴ検知制御の実行を指示する制御情報（ＤＴ検知コマンド）を挿入し、該ＤＴ検知コマンドが挿入された一連の電話番号を前記短縮ダイヤル番号に対応して登録する短縮ダイヤル登録処理機能を有する。
【００８０】
ダイヤル検出部１３２ｂは、ダイヤル入力受付部１３１が入力を受付けたダイヤル中、先頭から２桁の番号がいずれも外線識別番号“０”である頭連続“０”ダイヤルを検出する処理機能（実施例１のダイヤル検出部１３２と同等）に加えて、短縮ダイヤルキーを用いた短縮ダイヤル発信操作によりダイヤル入力受付部１３１が入力を受付けた短縮ダイヤル中、先頭が外線識別番号“０”で、かつ、該“０”に続いて上記ＤＴ検知コマンドが挿入されるコマンド付加ダイヤルを検出するコマンド付加ダイヤル検出機能を有する。
【００８１】
発信音検出部１３３ｂは、ダイヤル検出部１３２ｂにより頭連続“０”ダイヤルが検出された場合、フックスイッチをオフフックした後に該頭連続“０”ダイヤルの先頭の番号を送出してＰＢＸ３０から送出されるＤＴ検出制御を行う処理機能（実施例１の発信音検出部１３３と同等）の他、上記コマンド付加ダイヤル検出機能により、外線識別番号“０”に続いてＤＴ検知コマンドが挿入されていることが検出された場合、フックスイッチをオフフックしてＤＴ検知コマンドの前の“０”〔先頭の“０”〕を送出してＰＢＸ３０からのＤＴ検出制御を行う処理機能を有する。
【００８２】
ダイヤル送出制御部１３４ｂは、発信音検出部１３３ｂによる頭連続“０”ダイヤル中の先頭の“０”の送出に対するＤＴの検出により該頭連続“０”ダイヤルの次の“０”以降の番号をＰＢＸ３０に送出する制御、並びにタイマＡの設定時間の変更設定制御機能（実施例１のダイヤル送出制御部１３４と同様）の他、発信音検出部１３３ｂによる短縮ダイヤル中のＤＴ検知コマンドの前の先頭の“０”の送出に対するＤＴの検出により該ＤＴ検知コマンドの後の“０”〔先頭の“０”のｄｔ検知コマンドを挟んだ次の“０”〕以降の番号をＰＢＸ３０に送出する制御機能を有する。
【００８３】
ダイヤル入力受付部１３１、計時部１３５及び発信エラー報知部１３６は、それぞれ、実施例１に係わる該当機能部（図３参照）と同等のものである。
【００８４】
図８は、本実施例に係わるファクシミリ装置１０Ｂの短縮ダイヤル登録処理動作を示すフローチャートである。
【００８５】
図８において、短縮ダイヤル登録部１３７ｂは、操作／表示部１４でのユーザ操作に基づく短縮ダイヤル登録要求があると（ステップＳ２０１ＹＥＳ）、短縮番号の指定を受付け（ステップＳ２０２）、次いで、該短縮番号に対応して登録する電話番号の入力の受付けを行う（ステップＳ２０３）。
【００８６】
上記短縮番号の受付け、及び電話番号の入力受付けが完了すると（ステップＳ２０２，Ｓ２０３）、短縮ダイヤル登録部１３７ｂは、最初の桁から“０”が２回以上続くかどうか〔頭連続“０”であるかどうか〕をチェックし（ステップＳ２０４）、最初の桁から“０”が２回以上続いていないと判定した場合は（ステップＳ２０４ＮＯ）、短縮ダイヤル管理テーブル１３７１（図９参照）に対し、上記ステップＳ２０２で指定された短縮番号に対応付けて上記ステップＳ２０３で入力された電話番号を登録し（ステップＳ２０６）、処理を終了する。
【００８７】
これに対して、最初の桁から“０”が２回以上続くと判定された場合は（ステップＳ２０４ＹＥＳ）、最初の“０”と次の“０”との間にＤＴの検出制御の実行することを指示するＤＴ検知コマンドを挿入したうえで（ステップＳ２０５）、該ＤＴ検知コマンドが挿入された一連の電話番号を上記ステップＳ２０２で指定された短縮番号に対応付けて短縮ダイヤル管理テーブル１３７１に登録し（ステップＳ２０６）、処理を終了する。
【００８８】
図９は、本実施例に係わる短縮ダイヤル管理テーブル１３７１の一例を示す表図である。
【００８９】
図９によれば、短縮ダイヤル管理テーブル１３７１中、短縮番号“０１”と、“０２”に対しては、それぞれ、外線識別番号“０”と次の“０”との間に図８のステップＳ２０５で上記ＤＴ検知コマンドである、例えば、「＝」が挿入された電話番号“０＝０３１２３４８７６５”、“０＝０４５３２１１２３４”が登録されている例を挙げている。
【００９０】
上記構成を有する本実施例のファクシミリ装置１０Ｂにおいて、例えば、相手端末へのファクシミリ送信に際して外線への発呼を行う場合、ユーザは、操作／表示部１４上で外線識別番号である“０”を入力した後、続けて、例えば、“０４５１２３４５６７”等、相手端末の電話番号を入力する外線発信ダイヤル操作か、若しくは、操作／表示部１４上で、“０１”，“０２”，…等の短縮ダイヤルキーを押下する短縮ダイヤル発信操作を行う。
【００９１】
上記外線発信ダイヤル操作が行われると、操作／表示部１４からシステム制御部１３ｂのダイヤル入力受付部１３１に対しては、“０”と、これに続く相手先電話番号（例えば、“０４５１２３４５６７”）から成るダイヤル（外線発信ダイヤル）が入力され、他方、上記短縮ダイヤル発信操作が行われた場合は、短縮ダイヤル登録部１３７ｂからシステム制御部１３ｂのダイヤル入力受付部１３１に対して、押下した短縮ダイヤルキー（例えば、「０１」）に対応する短縮番号（同、“０１”）に対応して短縮ダイヤル管理テーブル１３７１内に登録されている番号〔同、“０＝０３１２３４８７６５”〕から成るダイヤル（短縮登録外線発信ダイヤル）が入力される。
【００９２】
そして、ダイヤル検出部１３２ｂ、発信音検出部１３３ｂ、ダイヤル送出制御部１３４ｂは、ＰＢＸ３０と協働し、該入力ダイヤル（外線発信ダイヤル、若しくは短縮登録外線発信ダイヤル）に基づいて図１０に示すフローチャートに従った発呼制御動作を実施する。
【００９３】
図１０において、実施例１に係わる発呼制御動作（図４参照）中の各処理ステップと同様の処理ステップには同一の符号を付している。
【００９４】
ここでは、本実施例特有のステップＳ１０５ｂ、Ｓ１０８ｂ及びＳ１２１の処理動作を主体に説明する。
【００９５】
図１０に示すように、待機中のファクシミリ装置１０Ｂにおいて、ダイヤル検出部１３２ｂは、上述した外線発信ダイヤル操作や、短縮ダイヤル発信操作等のダイヤル操作に基づくダイヤル入力受付部１３１での電話番号の受付状況（入力状況）を監視している（ステップＳ１０１）。
【００９６】
ここで、上記ダイヤル操作に基づくダイヤル（電話番号）が入力されると（ステップＳ１０１ＹＥＳ）、ダイヤル検出部１３２ｂは、該入力されたダイヤル中、先頭の２桁の番号が連続して“０”〔＝外線識別番号〕である頭連続“０”ダイヤルであるか否かをチェックする（ステップＳ１０２）。
【００９７】
ここで、頭連続“０”ダイヤルであると判定された場合（ステップＳ１０２ＹＥＳ）、以後、システム制御部１３ｂは、実施例１と同様の発呼制御を実施する（ステップＳ１０３〜Ｓ１１２：但し、ステップＳ１０５ｂでは、最初の“０”を送出し、ステップＳ１０８ｂでは、次の“０”を送出する）。
【００９８】
これに対して、頭連続“０”ダイヤルでないと判定された場合（ステップＳ１０２ＮＯ）、ダイヤル検出部１３２ｂは、先頭の番号“０”の後にＤＴ検知コマンドが挿入されているか否かをチェックする（ステップＳ１２１）。
【００９９】
ここで、最初の“０”の後にＤＴ検知コマンドが挿入されていない場合（ステップＳ１２１ＮＯ）、ダイヤル送出制御部１３４ｂは、フックスイッチをオフフックにしたうえで上記ステップＳ１０１で受付けた電話番号（全桁分）を網制御部２０を介してＰＢＸ３０に送出する（ステップＳ１２２）。
【０１００】
ＰＢＸ３０は、ファクシミリ装置１０Ｂ（システム制御部１３ｂ）から送られてくる上記電話番号に基づき相手端末に対する回線（内線）接続制御を行う。
【０１０１】
そして、ファクシミリ装置１０Ｂでは、ＰＢＸ３０による相手端末に対する回線（内線）接続完了後、該相手端末との間のファクシミリ通信に移行し（ステップＳ１２３）、該ファクシミリ通信の終了により動作を終了する。
【０１０２】
また、上記ステップＳ１２１において、最初の“０”の後にＤＴ検知コマンドが挿入されていると判定された場合（ステップＳ１２１ＹＥＳ）、ダイヤル送出制御部１３４ｂは、ステップＳ１０３以降の処理に進む。
【０１０３】
すなわち、ステップＳ１０３では、まず、ダイヤル送出制御部１３４ｂが、フックスイッチをオフフックにし（ステップＳ１０３）、該オフフック後、計時部１３５でタイマＡの計時を開始させて設定時間Ｔ１が経過（計時完了）したか否かをチェックする（ステップＳ１０４）。
【０１０４】
ここで、時間Ｔ１が経過したと判定されると（ステップＳ１０４ＹＥＳ）、上記ステップＳ１０１で受付けた短縮ダイヤル発信操作に基づく入力ダイヤル（ＤＴ検知コマンド付加ダイヤル）中、ＤＴ検知コマンドの前の“０”〔先頭の“０”〕を網制御部２０を介してＰＢＸ３０に送信する（ステップＳ１０５ｂ）。
【０１０５】
次いで、発信音検出部１３３ｂは、上記ＤＴ検知コマンドの前の“０”を送出した後、ＰＢＸ３０から送出されるＤＴを検出する処理モードに移行する（ステップＳ１０６）。
【０１０６】
該処理モードに移行すると、発信音検出部１３３ｂは、計時部１３５でタイマＢの計時を開始させたうえでＤＴが検出されたか否かをチェックし（ステップＳ１０７）、ＤＴが検出されない場合（ステップＳ１０７ＮＯ）、次いで、タイマＢにより所定時間Ｔ２が計時完了したか否かをチェックする（ステップＳ１０９）。
【０１０７】
ここで、タイマＢにより所定時間Ｔ２が計時完了しない場合（ステップＳ１０９ＮＯ）、ステップＳ１０７に戻ってＤＴが検出されたか否かをチェックし（ステップＳ１０７）、なおもＤＴが検出されない場合（ステップＳ１０７ＮＯ）は、ステップＳ１０９においてタイマＢにより所定時間Ｔ２が計時完了したと判定される（ステップＳ１０９ＹＥＳ）までステップＳ１０７におけるＤＴ検出処理を続行する。
【０１０８】
この間、タイマＢにより所定時間Ｔ２が計時完了する前に（ステップＳ１０９ＮＯ）にＰＢＸ３０からのＤＴが検出された場合（ステップＳ１０７ＹＥＳ）、ダイヤル送出制御部１３４ｂは、上記ステップＳ１０１で受付けたＤＴ検知コマンド付加ダイヤル中の上記ＤＴ検知コマンドの後の“０”〔先頭の“０”のＤＴ検知コマンドを挟んだ次の“０”〕以降の番号を網制御部２０を介してＰＢＸ３０に送信する（ステップＳ１０８ｂ）。
【０１０９】
ＰＢＸ３０は、ファクシミリ装置１０Ｂ（システム制御部１３ｂ）から送られてくる上記電話番号に基づき相手端末に対する回線（外線）接続制御を行う。
【０１１０】
そして、ファクシミリ装置１０Ｂでは、ＰＢＸ３０による相手端末に対する回線（外線）接続完了後、該相手端末との間のファクシミリ通信に移行し（ステップＳ１３１）、該ファクシミリ通信の終了により動作を終了する。
【０１１１】
なお、上記ステップＳ１０７においてＤＴが検出されない間（ステップＳ１０７ＮＯ）に上記ステップＳ１０９でタイマＢにより所定時間Ｔ２が計時完了した場合（ステップＳ１０９ＹＥＳ）、システム制御部１３ｂでは、発呼を停止し（ステップＳ１１０）、発信エラー報知部１３６が発信エラーが発生した旨をユーザに報知する制御を実施する（ステップＳ１１１）。
【０１１２】
更に、ダイヤル送出制御部１３４ｂでは、タイマＡに設定していた計時時間Ｔ１をこれより長い時間である時間Ｔ１１に変更設定し（ステップＳ１１２）、その後、処理を終了する。
【０１１３】
ステップＳ１１２での時間Ｔ１の変更設定により、次回のＤＴ検知コマンド付加ダイヤルに基づくＤＴ検知コマンドの前の“０”（及び、頭連続“０”ダイヤルに基づく最初の“０”）の送出に際し、ステップＳ１０４，Ｓ１０５ｂでは変更設定後の時間Ｔ１１経過後に該ＤＴ検知コマンドの前の“０”（及び、頭連続“０”ダイヤルに基づく最初の“０”）がＰＢＸ３０へと送出される。
【０１１４】
このように、本実施例では、実施例１に係わる、先頭から２桁以上“０”が続く頭連続“０”ダイヤルに相当する入力ダイヤルを短縮ダイヤルとして登録する要求に対し、最初の“０”と次の“０”との間にＤＴ検知コマンドを挿入して短縮ダイヤル登録する機能を有する一方で、短縮ダイヤル発信操作により最初の“０”と次の“０”との間にＤＴ検知コマンドが挿入されたダイヤル入力が受付けられると、該ダイヤル中のＤＴ検知コマンドを検出して該ＤＴ検知コマンドの前の“０”〔最初の“０”〕を送出し、該ＤＴ検知コマンドの前の“０”の送出後にも網からのＤＴを検知するようにしたため、実施例１と同様、ＰＢＸ側３０に対してファクシミリ装置１０からの最初の“０”〔ＤＴ検知コマンドの前の“０”〕の後の“０” 〔ＤＴ検知コマンドの後の“０”〕から始まる相手先番号を桁落ちなく取り込ませることで意図しない相手に電話がかかることを回避できる。
【０１１５】
なお、本実施例においても、オフフック後に最初の“０”を送出するまでの送出待機時間（時間Ｔ１）について、実施例１と同様、システム制御部１３内に設けた送出待機時間管理部が時間管理テーブルを用いて、日、または曜日若しくは時間帯の少なくとも１つの情報に対応してそれぞれ異なる送出待機時間を登録、管理する構成を採用できる。
【０１１６】
この他、本発明は、上記し、且つ図面に示す実施例に限定することなく、その要旨を変更しない範囲内で適宜変形して実施できるものである。
【０１１７】
例えば、上記実施例では、ファクシミリ装置１０（１０Ｂ）をＰＢＸ３０を介して外部回線（外線）に接続する例を挙げたが、これに限らず、ファクシミリ装置１０がターミナル・アダプタ（ＴＡ）や、ゲートウェイ（ＧＷ）装置等の回線接続装置を介して外部回線に接続されるシステム構成へも適用できる。
【０１１８】
また、上記実施例では、ファクシミリ装置への適用例を挙げたが、本発明はこれに限らず、例えば、電話端末装置等、ＰＢＸ等の回線接続装置を介して公衆回線網に接続され、外線識別番号を先頭に付加して外線への発呼を行う電話機能を有する通信端末装置全般に適用できる。
【産業上の利用可能性】
【０１１９】
本発明は、ＰＢＸ等の回線接続装置の仕様に従った外線識別番号を先頭に付したダイヤル入力を受付けて外線発呼する機能を有するファクシミリ装置等の通信端末装置に適用できる。
【図面の簡単な説明】
【０１２０】
【図１】本発明に係わるファクシミリ通信ネットワークの全体構成を示す概念図。
【図２】本発明に係るファクシミリ装置の機能構成を示すブロック図。
【図３】実施例１に係わるファクシミリ装置のシステム制御部の機能構成ブロック図。
【図４】実施例１に係わるファクシミリ装置の発呼制御動作を示すフローチャート。
【図５】実施例１に係わるファクシミリ装置での発呼制御動作の遷移を示す概念図。
【図６】発信エラー報知画面の表示例を示す図。
【図７】実施例２に係わるファクシミリ装置のシステム制御部の機能構成ブロック図。
【図８】実施例２に係わる短縮ダイヤル登録処理動作を示すフローチャート。
【図９】実施例２に係わる短縮ダイヤル管理テーブルの一例を示す表図。
【図１０】実施例２１に係わるファクシミリ装置の発呼制御動作を示すフローチャート。
【符号の説明】
【０１２１】
１０，１０−１，１０−５，１０−６，１０−ｎ…ファクシミリ装置、１１…中央処理装置（ＣＰＵ）、１２…ＲＡＭ（ランダム・アクセス・メモリ）、１３，１３ｂ…システム制御部、１３１…ダイヤル入力受付部、１３２，１３２ｂ…ダイヤル検出部、１３３，１３３ｂ…発信音検出部、１３４，１３４ｂ…ダイヤル送出制御部、１３５…計時部、１３６…発信エラー報知部、１３７，１３７ｂ…短縮ダイヤル登録部、１３７１…短縮ダイヤル管理テーブル、１４…操作／表示部、１４１…発信エラー報知画面、１５…読取部、１６…記録部、１７…画像蓄積部、１８…画像処理部、１９…伝送制御部、２０…網制御部、２１…システムバス、３０…構内交換機（ＰＢＸ）、５０…公衆回線網
【図１】
2010141797.tif 000003
【図２】
2010141797.tif 000004
【図３】
2010141797.tif 000005
【図４】
2010141797.tif 000006
【図５】
2010141797.tif 000007
【図６】
2010141797.tif 000008
【図７】
2010141797.tif 000009
【図８】
2010141797.tif 000010
【図９】
2010141797.tif 000011
【図１０】
2010141797.tif 000012